(57)【要約】【課題】  信号線の接続作業が迅速に行える照明装置を提供する。【解決手段】  照明装置１は、光源６を収納する筐体２と、筐体２に結合するように設けられ、光源６に電力を供給する電源装置１５を収納するケース体３と、筐体２の両側面２ｃ，２ｃに筐体２を跨ぐように設けられ、筐体２を回転可能に取り付ける支持体４と、ケース体３の背面３ｄ側に露出するとともに筐体２の回転方向に回動可能に設けられ、光源６を点灯制御する制御信号を伝送する伝送線が接続されるコネクタ５と、を具備している。【選択図】図２
2016219304.tif 000002
【特許請求の範囲】
【請求項１】
光源を収納する筐体と；
この筐体に結合するように設けられ、前記光源に電力を供給する電源装置を収納するケース体と；
前記筐体の両側面に前記筐体を跨ぐように設けられ、前記筐体を回転可能に取り付ける支持体と；
前記光源の照射方向の反対側の前記ケース体の背面側に露出するとともに前記筐体の回転方向に回動可能に設けられ、前記光源を点灯制御する制御信号を伝送する伝送線が接続されるコネクタと；
を具備していることを特徴とする照明装置。
【請求項２】
前記コネクタは、前記制御信号を入力する入力コネクタおよび前記制御信号を伝送線に伝送する渡りコネクタを有してなり、前記入力コネクタおよび前記渡りコネクタが共に回動可能に設けられていることを特徴とする請求項１記載の照明装置。
【請求項３】
前記コネクタは、凹部を有する取付体の前記凹部に設けられ、前記取付体が前記ケース体に回動可能に取り付けられていることを特徴とする請求項１または２記載の照明装置。
【発明の詳細な説明】
【技術分野】
【０００１】
本実施形態は、スタジオや舞台などの天井やスタンド等に吊り下げられる照明装置に関する。
【背景技術】
【０００２】
この種の照明装置は、光源を収納している装置本体（筐体）、この装置本体をスタジオや舞台などの天井に設置されるバトンに対して吊下げ支持する支持体および調光信号に応じて光源を点灯制御する電源装置を有して形成されている。装置本体は、支持体に対して回転可能に設けられ、前面に形成された開口部から光源の放射光を所定の方向に照射可能にしている。支持体は、装置本体の両側面を回転可能に支持する両アーム部およびこの両アーム部を連結する連結部を有する略コ字形に形成されている。装置本体は、支持体の両アーム部および連結部で囲まれる空間で回転する。そして、支持体は、照明装置の小型化や見栄えの向上などの諸事情により、装置本体の回転に支障がないように、両アーム部の全長が可能な限り小さくなるように形成している。
【０００３】
そして、装置本体の背面には、手動操作して光源の放射光の照射方向を可変するための取手が設けられているとともに、調光信号を含む制御信号を伝送するための信号線が接続される複数のコネクタおよび電源線が接続される電源接続部がそれぞれ設けられている（例えば特許文献１参照。）。
【０００４】
照明装置は、バトンが床面側に降ろされた状態で、支持体がバトンに取り付けられ、電源線のプラグがバトン側に配設されたコンセントに接続され、信号線のコネクタが装置本体のコネクタに接続される。照明装置は、バトンに取り付けるに際して、通常、照射方向が床面側となるように支持体に対して装置本体が回転されて仮固定されている。そして、照明装置は、スタジオや舞台などでは、数十個ないし数百個がバトンに取り付けられており、電源線および信号線の接続作業も多大な労力を要している。
【先行技術文献】
【特許文献】
【０００５】
【特許文献１】特開２０１１−２５８４５４公報（第４頁、第４，６図）
【発明の概要】
【発明が解決しようとする課題】
【０００６】
照明装置は、支持体のアーム部の全長が可能な限り小さくなるように形成されていると、照射方向が床面側となる状態では、装置本体の背面と支持体の連結部との空間が狭くなっている。
【０００７】
そして、多数個の照明装置においては、照射方向が床面側となるように装置本体を支持体に対して回転させて仮固定しているときに、装置本体のコネクタが支持体の連結部の直下側または直下の近傍に位置することがある。この状態では、信号線のコネクタは、装置本体の背面と支持体の連結部との狭い空間から装置本体のコネクタに接続するので、容易に、迅速に接続できないという問題がある。また、支持体に対して装置本体を幾分回転させることがあり、さらに信号線の接続作業に時間を要するという問題がある。
【０００８】
本実施形態は、信号線の接続作業が迅速に行える照明装置を提供することを目的とする。
【課題を解決するための手段】
【０００９】
本実施形態の照明装置は、筐体、ケース体、支持体およびコネクタを有して構成される。筐体は、光源を収納している。ケース体は、光源に電力を供給する電源装置を収納している。そして、ケース体は、筐体に結合するように設けられている。
【００１０】
支持体は、筐体の両側面に筐体を跨ぐように設けられている。そして、支持体は、筐体を回転可能に取り付ける。
【００１１】
コネクタは、光源の照射方向の反対側のケース体の背面側に露出するとともに筐体の回転方向に回動可能に設けられている。そして、コネクタには、光源を点灯制御する制御信号を伝送する伝送線が接続される。
【発明の効果】
【００１２】
本実施形態の照明装置によれば、コネクタは、ケース体の背面側に露出し、筐体の回転方向に回動可能に設けられているので、コネクタに伝送線を接続するに際して支持体等により接続しにくいときには、コネクタを回動させて接続方向を変えることにより、伝送線をコネクタに容易にかつ迅速に接続できることが期待できる。
【図面の簡単な説明】
【００１３】
【図１】本発明の一実施形態を示す照明装置の前面側の上方から見た概略斜視図である。
【図２】同上、照明装置の背面側の下方から見た概略斜視図である。
【図３】同上、照明装置の内部を示す概略斜視図である。
【図４】同上、照明装置の概略背面図である。
【図５】同上、コネクタの回動機構を示す説明図である。
【図６】同上、コネクタの回動状態を示す概略正面図である。
【図７】同上、照明装置の上方から見た概略斜視図である。
【発明を実施するための形態】
【００１４】
以下、本実施形態の一実施形態について、図面を参照して説明する。
【００１５】
本実施形態の照明装置１は、スタジオや舞台などの天井に設置されるスポットライトであり、図２に示すように、筐体２、ケース体３、支持体４およびコネクタとしての雌コネクタ５を有して構成されている。
【００１６】
筐体２は、放熱性の良好な金属材料例えはアルミニウム（Ａｌ）により、横長の箱形に形成されている。そして、筐体２は、図３に示すように、光源６、放熱器７やレンズ８など、各種の部品や要素を収納している。光源６は、基板に実装された複数個のＬＥＤからなっている。ＬＥＤおよび基板は、ＬＥＤモジュールに形成されている。
【００１７】
放熱器７は、光源６の放射光を照射する照射方向と反対方向の端部に収納されている。そして、放熱器７は、ベース９、複数個のフィン１０および複数個のヒートパイプ１１によって形成され、また、アルミニウムや銅などの熱伝導特性に優れた金属材料によって形成されている。そして、ＬＥＤモジュールがベース９に取り付けられている。放熱器７は、光源６に発生した熱を放散する。筐体２は、図１および図２に示すように、放熱器７が収納されている端部側の上面２ａ、下面２ｂ、両側面２ｃ，２ｃおよび背面２ｄにおいて、筐体２内を外部空間に通気する通気孔１２が形成されている。
【００１８】
図３において、レンズ８は、筐体２の前面２ｅ側に設けられており、光源６から放射された光を収束または発散させる。例えば、レンズ８は、のこぎり状の断面を有するフレネルレンズが用いられている。そして、筐体２は、ケース体３を結合している。
【００１９】
ケース体３は、例えば、筐体２と同じ金属材料により箱状に形成されており、結合部材１３，１４により、筐体２と離間して平行となるように設けられている。結合部材１３は、複数個（例えば４個）からなり、例えば四角柱状に形成されている。結合部材１４は、１個からなり、略コ字形の板状に形成されている。
【００２０】
そして、ケース体３は、電源装置１５を収納している。電源装置１５は、回路基板１６およびこの回路基板１６に実装された電子部品を含む回路部品１７により形成されており、光源６に調光信号に応じた電力を供給するように形成されている。すなわち、電源装置１５は、交流電源を直流電源に変換して、光源６に調光信号に応じた電流を供給し、光源６を調光点灯する点灯回路を有するように形成されている。
【００２１】
ケース体３は、電源装置１５に電気接続された電源接続部材１８を設けている。この電源接続部材１８には、プラグ１９を有する電源コード２０が接続されている。電源接続部材１８は、電源コード２０がケース体３の背面３ｄ側から導出するように設けられている。そして、電源接続部材１８は、電源装置１５とプラグ１９を電気接続している。電源装置１５は、プラグ１９が電源コンセントに差し込まれることにより、外部の交流電源を入力可能となる。なお、電源装置１５は、光源６の点灯回路の他、その他の電気装置を駆動する駆動回路、例えばレンズ８をスライドさせる駆動回路も有するように形成されてもよい。
【００２２】
また、ケース体３は、図２に示すように、背面３ｄに２個の雌コネクタ５を設けている。ここで、ケース体３の背面３ｄは、光源６の照射方向の反対側である。雌コネクタ５，５同士は、互いに電気接続されているとともに、電源装置１５に電気接続されている。雌コネクタ５，５のうち、一方の雌コネクタ５は、外部の調光器等から送信された調光信号を含む制御信号が入力される入力コネクタ５Ａであり、他方の雌コネクタ５は、入力コネクタ５Ａに入力した制御信号が出力される渡りコネクタ５Ｂである。
【００２３】
入力コネクタ５Ａおよび渡りコネクタ５Ｂには、伝送線（信号線）の雄コネクタがそれぞれ接続される。渡りコネクタ５Ｂから伝送線を介して他の照明装置１に制御信号が伝送される。入力コネクタ５Ａに入力した制御信号は、電源装置１５に入力される。電源装置１５は、制御信号の調光信号に応じて光源６を調光点灯する。制御信号は、調光信号の他、電源装置１５以外の電気装置を駆動する駆動回路を制御する駆動信号を含んでいる。
【００２４】
雌コネクタ５は、図４に示すように、取付体２１に取り付けられている。取付体２１は、金属製であり、四角柱状に形成されている。また、取付体２１は、その表面２１ａの中心部に円錐台状の凹部２２が形成され、この凹部２２の底部に貫通孔が形成されている。雌コネクタ５は、その先端部（差込部）が凹部２２の底部側に位置するように貫通孔に挿入されて固定されている。
【００２５】
ケース体３の背面３ｄ側には、２個の取付体２１が設けられる開口部２３が形成されている。２個の取付体２１は、それらの表面２１ａがケース体３の背面３ｄと略同一面となるようにしてケース体３の開口部２３に連設されている。これにより、２個の雌コネクタ５、すなわち入力コネクタ５Ａおよび渡りコネクタ５Ｂは、ケース体３の背面３ｄ側に露出するように設けられているとともに連設されている。
【００２６】
また、雌コネクタ５は、ケース体３の背面３ｄ側において、筐体２側および筐体２と反対側に回動可能に設けられている。すなわち、取付体２１は、ケース体３に回動可能に取り付けられている。２個の取付体２１は、図５に示すように、回転軸２４，２４を有する回転体２５に取り付けられている。回転体２５は、金属製であり、雌コネクタ５，５を挿通する挿通孔２６，２６を有する直方体に形成されている。回転軸２４，２４は、円柱状に形成されている。そして、回転体２５は、両側面２５ｃ，２５ｃから回転軸２４，２４を同一軸上となるように突出させている。また、回転体２５は、雌コネクタ５，５を挿通孔２６，２６に挿通させて、表面側に取付体２１の背面２１ｂが密着するようにして取付体２１を取り付けている。例えば、接着剤により取付体２１を固着している。
【００２７】
回転体２５は、その回転軸２４，２４が軸受体２７，２７に取り付けられている。軸受体２７，２７は、２個の取付体２１がケース体３の開口部２３に配設されるように、ケース体３内に設けられ、かつケース体３に固定されている。回転体２５は、軸受体２７，２７に対して回転軸２４，２４を中心として回転し、回転後の位置で停留するように軸受体２７，２７に設けられている。２個の取付体２１は、回転体２５に取り付けられていることにより、回転体２５の回転に伴って回動する。そして、取付体２１を押圧することにより、回転体２５が回転して、２個の取付体２１が共に回動する。
【００２８】
そして、軸受体２７，２７には、回転体２５の回転、すなわち取付体２１の回動を規制する規制体２８および規制体２９が設けられている。すなわち、取付体２１は、その表面２１ａがケース体３の背面３ｄに対して所定角度例えば３０°を超えない範囲で回動可能に保持されている。
【００２９】
規制体２８および規制体２９は、例えば、それぞれ板状あるいは棒状に形成され、回転体２５側に突出されている。規制体２８は、取付体２１が筐体２側に回動し、取付体２１の表面２１ａがケース体３の背面３ｄに対して所定角度（例えば３０°）となったときに、回転体２５の背面２５ｂに当接する位置に設けられている。このとき、取付体２１は、図６（ａ）に示すように、筐体２側の部位２１ｃがケース体３の開口部２３内に沈み込み、筐体２と反対側の部位２１ｄがケース体３の背面３ｄから浮き上がる。これにより、入力コネクタ５Ａおよび渡りコネクタ５Ｂは、筐体２側の方向を向くようになる。
【００３０】
また、規制体２９は、取付体２１が筐体２と反対側に回動し、取付体２１の表面２１ａがケース体３の背面３ｄに対して所定角度（例えば３０°）となったときに、回転体２５の背面２５ｂに当接する位置に設けられている。このとき、取付体２１は、図６（ｂ）に示すように、筐体２側の部位２１ｃがケース体３の背面３ｄから浮き上がり、筐体２と反対側の部位２１ｄがケース体３の開口部２３内に沈み込む。これにより、入力コネクタ５Ａおよび渡りコネクタ５Ｂは、筐体２の反対側の方向を向くようになる。このように、２個の取付体２１がケース体３に回動可能に取り付けられていることにより、入力コネクタ５Ａおよび渡りコネクタ５Ｂは、筐体２側または筐体２と反対側に所定角度（例えば３０°）の範囲内で、ケース体３の背面３ｄ側に露出して回動可能に設けられている。
【００３１】
そして、筐体２には、支持体４が取り付けられている。支持体４は、図１、図２または図４に示すように、筐体２の両側面２ｃ，２ｃに取り付けられている。筐体２の両側面２ｃ，２ｃは、上面２ａおよび下面２ｂ間において、図１および図２に示すように、長方形の平面部２ｃａ、この平面部２ｃａの両側に傾斜部２ｃｂ，２ｃｂを有する略台形状に形成されており、平面部２ｃａの中央部に支持体４が取り付けられている。通気孔１２は、傾斜部２ｃｂ，２ｃｂに設けられている。
【００３２】
支持体４は、例えば鋼板からなり、図１に示すように、筐体２の両側面２ｃ，２ｃを挟み込むコ字状に形成された支持本体３１、吊持体３２および落下防止部材３３を有して形成されている。支持本体３１は、筐体２の上面２ａを側面２ｃ，２ｃ間で跨る連結部３４およびこの連結部３４の両端から垂下するアーム部３５，３５を有する円柱状に形成されている。連結部３４の長手方向の中央部は、直方体形状の直方体部３４ａに形成されている。アーム部３５の先端側は、平板状の平板部３５ａに形成されている。
【００３３】
一方のアーム部３５の先端側３５ａは、一方の側面２ｃの平面部２ｃａに固着されたカラー３６を介して操作つまみ３７ａを有するボルト３７が平面部２ｃａの内面側に設けられた不図示のナットにねじ込まれることにより取り付けられている。また、他方のアーム部３５の平板部３５ａは、図２に示すように、他方の側面２ｃの平面部２ｃａに固着されたカラー３６を介してボルト３８が平面部２ｃａの内面側に設けられた不図示のナットにねじ込まれることにより取り付けられている。
【００３４】
支持本体３１（支持体４）は、ボルト３７およびボルト３８をきつく締め付けることにより筐体２に固定され、ボルト３７およびボルト３８を緩めることにより筐体２に対して回転可能となる。逆に、筐体２は、ボルト３７およびボルト３８を緩めることにより、支持体４に対して回転可能となる。本実施形態では、支持本体３１の内側空間で筐体２およびケース体３が自由自在に回転可能にアーム部３５，３５の全長が設定されているとともに、当該全長が可能な限り小さくなるように設定されている。筐体２が支持体４に対して回転し、筐体２とケース体３とが結合しているので、ケース体３の背面３ｄ側に設けられた雌コネクタ５，５は、筐体２の回転方向に共に回動することになる。
【００３５】
吊持体３２は、一端側に所定の間隔を有してダボ３９，４０が設けられ、他端側にねじが設けられた棒状に形成されている。ダボ３９は、円柱状に形成され、ダボ４０は、フランジを有する円柱状に形成されている。吊持体３２は、支持本体３１の連結部３４の直方体部３４ａに貫通され、他端側のねじにナット４１が螺着されて連結部３４に取り付けられている。このとき、落下防止部材３３は、直方体部３４ａに共締めされて連結部３４に取り付けられている。
【００３６】
そして、吊持体３２は、図４に示すように、ハンガー４２を取り付けて、天井に設けられるバトン４３に吊り下げられる。すなわち、吊持体３２は、一端側がハンガー４２に挿入され、ハンガー４２にねじ込まれたねじ４４がダボ３９，４０間に挿入されている。ねじ４４は、吊持体３２に当接するまでねじ込まれて、支持体４とハンガー４２とを一体化している。そして、ハンガー４２がバトン４３に吊り下げられて、ハンガー４２にねじ込んだねじ４５をバトン４３に当接させている。これにより、支持体４は、バトン４２に固定され、照明装置１は、バトン４２に吊り下げられる。また、落下防止部材３３は、バトン４３に取り付けられる。
【００３７】
照明装置１は、ボルト３７およびボルト３８を緩めた後、筐体２の背面２ｄに設けられた取手４６を掴んで、筐体２の前面２ｅ側が所定方向に向くように、筐体２を支持体４に対して回転させる。これにより、光源６の放射光が所定方向に照射される。取手４６は、本実施形態では、略コ字形に形成され、筐体２の背面２ｄにおいて、上面２ａおよび下面２ｂ間の中央部に突出して取り付けられている。また、筐体２の背面２ｄには、筐体２内の前面側に設けたレンズ８をスライドさせるための操作つまみ部４７が設けられている。
【００３８】
次に、本実施形態の作用について述べる。
【００３９】
照明装置１は、バトン４３を天井側から床面側に降ろして、バトン４３に取り付ける。照明装置１は、バトン４３に取り付ける前に、前面２ｅ側を床面にして置かれる。そして、図７に示すように、ボルト３７およびボルト３８を緩めて、支持体４を筐体２の背面２ｄ側に回転させる。支持体４は、筐体２に仮固定されている。
【００４０】
そして、照明装置１を持ち上げて、ハンガー４２をバトン４３に引っ掛けて、ねじ４５をバトン４３に強く当接するまでねじ込む。これにより、照明装置１は、バトン４３に吊り下げられる。このとき、落下防止部材３３もバトン４３に取り付ける。そして、多数個の照明装置１がバトン４３に吊り下げられる。この後、ケース体３から導出している電源コード２０のプラグ１９をバトン４３に沿って配線された電源線の電源コンセントに差し込んで接続し、バトン４３に沿って配線された伝送線の雄コネクタをケース体３の背面３ｄに設けた入力コネクタ５Ａに差し込んで接続し、渡り用の伝送線の雄コネクタを渡りコネクタ５Ｂに差し込んで接続する。この接続作業をバトン４３に吊り下げられた照明装置１に対して順次行っていく。
【００４１】
そして、バトン４３を上昇させた後、各照明装置１に対して、例えば取手４６を掴んで筐体２を支持体４に対して回転させ、光源６の放射光が所定方向に照射されるように筐体２の向きを設定する。そして、ボルト３７およびボルト３８を完全に締め付けて、支持体４を筐体２に完全に固定させた後、バトン４３を所定の高さまで上昇させる。これにより、床面側は、照明装置１によって所定方向から照明可能となる。
【００４２】
ところで、照明装置１をバトン４３に取り付ける前に、支持体４がケース体３側まで回転されている場合がある。すなわち、入力コネクタ５Ａおよび渡りコネクタ５Ｂが支持体４の連結部３４の直下またはその近傍に位置していることがある。そして、この状態で、照明装置１がバトン４３に吊り下げられることがある。
【００４３】
支持体４のアーム部３５，３５の全長は、可能な限り小さく設定されているので、ケース体３の背面３ｄ側と支持体４の連結部３４との間は、狭い空間となっている。そして、伝送線の雄コネクタをケース体３の入力コネクタ５Ａおよび渡りコネクタ５Ｂに差し込もうとすると、連結部３４およびバトン４３が干渉して、伝送線の雄コネクタを入力コネクタ５Ａ側および渡りコネクタ５Ｂ側に容易に持っていくことができなく、入力コネクタ５Ａおよび渡りコネクタ５Ｂに迅速に接続することができない。多数個の照明装置１に対して、当該接続作業が相応にあると、伝送線の接続作業に相応の労力と時間を要する。ここで、ケース体３が支持体４から遠ざかるように、照明装置１を支持体４に対して回転させることが考えられる。しかしながら、照明装置１は、比較的重量があるので、照明装置１の回転には、労力と手間（時間）を要する。また、バトン４３は、床面近くまで降ろされ、バトン４３に吊り下げられた照明装置１の前面２ｅ側と床面との間は、狭い空間であることがあり、照明装置１を回転させると床面に当接して回転できないことがある。
【００４４】
そこで、本実施形態では、伝送線の雄コネクタを入力コネクタ５Ａおよび渡りコネクタ５Ｂに接続するに際して、支持体４およびバトン４３等が干渉するときには、伝送線の雄コネクタを入力コネクタ５Ａおよび渡りコネクタ５Ｂに容易に接続することができるように、入力コネクタ５Ａおよび渡りコネクタ５Ｂの向きを可変させる。すなわち、取付体２１をケース体３の背面３ｄに対して回動させる。
【００４５】
伝送線の雄コネクタをケース体３から筐体２に向かう方向で入力コネクタ５Ａおよび渡りコネクタ５Ｂに差し込み、接続するときには、取付体２１の筐体２の反対側の部位２１ｄを押圧する。ケース体３内の回転体２５が回転し、２個の取付体２１は、それらの表面２１ａがケース体３の背面３ｄに対して筐体２の反対側に傾斜する。これにより、入力コネクタ５Ａおよび渡りコネクタ５Ｂの向きが筐体２の反対側に変化する。コネクタ５Ａおよび渡りコネクタ５Ｂの向きは、取付体２１の押圧に応じて変化する。そして、コネクタ５Ａおよび渡りコネクタ５Ｂの向きが所望の向きとなるように取付体２１を押圧する。
【００４６】
コネクタ５Ａおよび渡りコネクタ５Ｂが筐体２の反対側に所望に向いていると、伝送線の雄コネクタは、支持体４およびバトン４３等に干渉されることなく、コネクタ５Ａおよび渡りコネクタ５Ｂに差し込み、接続される。これにより、伝送線は、容易にかつ迅速にコネクタ５Ａおよび渡りコネクタ５Ｂに接続される。
【００４７】
また、伝送線の雄コネクタを筐体２からケース体３に向かう方向で入力コネクタ５Ａおよび渡りコネクタ５Ｂに差し込み、接続するときには、取付体２１の筐体２側の部位２１ｃを押圧する。２個の取付体２１は、それらの表面２１ａがケース体３の背面３ｄに対して筐体２側に傾斜する。これにより、入力コネクタ５Ａおよび渡りコネクタ５Ｂは、筐体２側を向くようになる。そして、コネクタ５Ａおよび渡りコネクタ５Ｂの向きが所望の向きとなるように取付体２１を押圧する。
【００４８】
コネクタ５Ａおよび渡りコネクタ５Ｂが筐体２側に所望に向いていると、伝送線の雄コネクタは、支持体４およびバトン４３等に干渉されることなく、コネクタ５Ａおよび渡りコネクタ５Ｂに差し込み、接続可能となる。これにより、伝送線は、容易にかつ迅速にコネクタ５Ａおよび渡りコネクタ５Ｂに接続される。
【００４９】
このように、照明装置１は、ケース体３の背面３ｄ側に設けられた入力コネクタ５Ａおよび渡りコネクタ５Ｂの向きを共に可変可能に設けているので、照明装置１が不所望にバトン４３に吊り下げられても、入力コネクタ５Ａおよび渡りコネクタ５Ｂを所望の向きにすることにより、伝送線の雄コネクタを容易にかつ迅速に接続可能となる。
【００５０】
そして、入力コネクタ５Ａおよび渡りコネクタ５Ｂは、それぞれ取付体２１の凹部２２の底部側に設けられているので、伝送線の雄コネクタを入力コネクタ５Ａおよび渡りコネクタ５Ｂに差し込むようにするに際して、凹部２２の壁面が伝送線の雄コネクタを入力コネクタ５Ａおよび渡りコネクタ５の方向に案内するので、伝送線の雄コネクタの入力コネクタ５Ａおよび渡りコネクタ５への接続がより容易にかつ迅速に行える。
【００５１】
本実施形態の照明装置１によれば、雌コネクタ５は、ケース体３の背面３ｄ側に露出し、筐体２の回転方向に回動可能に設けられているので、雌コネクタ５に伝送線の雄コルネクタを接続するに際して支持体４やバトン４３等により接続しにくいときには、雌コネクタ５を回動させて接続方向を変えることにより、伝送線の雄コネクタを雌コネクタ５に容易にかつ迅速に接続することができるという効果を有する。
【００５２】
また、雌コネクタ５である入力コネクタ５Ａおよび渡りコネクタ５Ｂが共に回動可能に設けられているので、入力コネクタ５Ａおよび渡りコネクタ５Ｂの接続方向を同時に同方向とすることができて、これにより、伝送線の雄コネクタを入力コネクタ５Ａおよび渡りコネクタ５Ｂに、より容易にかつ迅速に接続することができるという効果を有する。
【００５３】
また、雌コネクタ５は、取付体２１の凹部２２に設けられ、取付体２１がケース体３に回動可能に取り付けられているので、取付体２１を押圧することにより雌コネクタ５の接続方向を可変することができるとともに、凹部２２が伝送線の雄コネクタを案内するので、伝送線の雄コネクタを雌コネクタ５にさらに容易にかつ迅速に接続することができるという効果を有する。
【００５４】
なお、上述した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００５５】
１…照明装置、  ２…筐体、  ３…ケース体、  ４…支持体、  ５…コネクタとしての雌コネクタ、  ５Ａ…入力コネクタ、  ５Ｂ…渡りコネクタ、  ６…光源、  １５…電源装置、  ２１…取付体
【図１】
2016219304.tif 000003
【図２】
2016219304.tif 000004
【図３】
2016219304.tif 000005
【図４】
2016219304.tif 000006
【図５】
2016219304.tif 000007
【図６】
2016219304.tif 000008
【図７】
2016219304.tif 000009